(57)【要約】【課題】  複数のベルト端面に照射する光や反射する光が隣接するベルトに干渉されないようにすることで、それぞれのベルト端面を効率的かつ高精度に検査することのできるベルト端面の検査装置および検査方法を提供する。【解決手段】検査装置１は、２つの並行な軸心まわりを回転可能な駆動ローラ２１および従動ローラ２２と、これらのローラに掛け渡されたフープｂの端面に光を照射する複数のＬＥＤランプ３ａ，３ｂ，３ｃと、フープｂの端面で反射する光を撮影するＣＣＤカメラ５とから少なくとも構成されている。ここで、駆動ローラ２１および従動ローラ２２の端面には径方向外側に湾曲するクラウニングが設けられており、フープｂの回転に伴ってローラ端面の中央付近に集められ易い構造となっている。従動ローラ２２と駆動ローラ２１の双方の回転軸心は、並行な状態から捻れの状態とすることもできる。【選択図】  図１
2006258576.tif 000002
【特許請求の範囲】
【請求項１】
２つの並行な軸心まわりを回転可能な２つのローラと、該２つのローラに掛け渡された積層ベルトまたは単層ベルトのそれぞれの端面に光を照射する照明装置と、ベルトの端面で反射する光を撮影するカメラと、から少なくとも構成されており、前記ローラのうち、該ローラがベルトに接する端面には、該端面の中央付近が端部に対して相対的に径方向外側へ突出するようなクラウニングが設けられていることを特徴とするベルト端面の検査装置。
【請求項２】
前記ローラは、駆動ローラと従動ローラとからなり、一方のローラが他方のローラから離反できるように、いずれか一方または双方のローラが可動式に構成されていることを特徴とする請求項１に記載のベルト端面の検査装置。
【請求項３】
２つのローラの軸心が、並行の姿勢から所定角度ずれた捩れの姿勢を形成できるように、一方または双方の軸心が傾斜可能に構成されていることを特徴とする請求項１または２に記載のベルト端面の検査装置。
【請求項４】
ベルト端面への光の入射角とベルト端面からの光の反射角をともにθとした場合に、反射する光を撮影するカメラの位置はθから所定角度オフセットされた位置に配設されていることを特徴とする請求項１〜３のいずれかに記載のベルト端面の検査装置。
【請求項５】
請求項４に記載のベルト端面の検査装置には、ベルト端面への光の入射角度が異なる複数の照明装置が設けられていることを特徴とするベルト端面の検査装置。
【請求項６】
前記ベルトは、複数の金属製のベルトが積層されてなるＣＶＴベルトであることを特徴とする請求項１〜５のいずれかに記載のベルト端面の検査装置。
【請求項７】
２つの並行な軸心まわりを回転する２つのローラと、該２つのローラに掛け渡され、複数の金属ベルトが積層されてなるＣＶＴベルトの端面に光を照射する照明装置と、ＣＶＴベルトの端面で反射する光を撮影するカメラと、から少なくとも構成されており、前記ローラのうち、該ローラがベルトに接する端面には、該端面の中央付近が端部に対して相対的に径方向外側へ突出するようなクラウニングが設けられているベルト端面の検査装置を使用してＣＶＴベルトの端面を検査するベルト端面の検査方法であって、
前記ベルト端面の検査方法は、２つのローラにＣＶＴベルトを掛け渡し、２つのローラの一方または双方を動かして双方のローラを離反させ、ローラを回転させながらそれぞれのベルトをローラ端面の適宜の位置に調整配置させ、ＣＶＴベルトを構成する複数の金属ベルトそれぞれの端面に１つまたは２つ以上の照明装置から光を順次照射させ、反射する光をカメラで順次撮影し、さらに２つのローラを所定角度回転させて金属ベルト端面への光の照射と反射する光の撮影をおこなうことを繰返し、カメラにて撮影された画像に基づいてＣＶＴベルトの端面を検査することを特徴とするベルト端面の検査方法。
【請求項８】
２つのローラの軸心を、並行の姿勢から所定角度ずれた捩れの姿勢にして２つのローラを回転させることを特徴とする請求項７に記載のベルト端面の検査方法。
【発明の詳細な説明】
【技術分野】
【０００１】
本発明は、２つのローラに例えば複数層に積層されたベルトを掛け渡した姿勢でそれぞれのベルトの端面を検査するベルト端面の検査装置と、該検査装置を使用してなるベルト端面の検査方法に係り、特に、複数のベルト端面に照射する光や反射する光が隣接するベルトに干渉されないようにすることで、それぞれのベルト端面を効率的かつ高精度に検査することのできるベルト端面の検査装置および検査方法に関するものである。
【背景技術】
【０００２】
ベルト式無段変速装置（以下、ＣＶＴという）に使用される高負荷伝動用の金属製のＣＶＴベルトは、環状のベルトを積層させてベルト積層体を形成し、このベルト積層体をベルトの幅方向に並ぶように配置させ、各ベルト積層体を複数のブロック（エレメント）にて係止固定させることによって形成されている。例えば、図８に示すように、環状のベルトａ，ａ，…が積層されて積層体ｂが構成され、この積層体ｂ、ｂを複数のブロックｃ、ｃ、…に嵌め込んでＣＶＴベルトｄが形成される。
【０００３】
ところで、上記するベルトは、サブアッシーの最終工程にてその端部に疵がつき易く、かかるベルト端部は過大な引張りを受けた状態でブロックと直接接する箇所であるために、端部の疵からベルトの磨耗が発生し、ベルト破断の直接的な原因となりかねない。そこで、従来はベルト端部の疵の有無を全数検査することが余儀なくされていたが、かかる検査は自動認識が困難であることから拡大鏡などを使って目視検査がおこなわれている状況であった。ＣＶＴベルトの場合には、例えば９層に積層されたベルトの端面を１つ１つ目視検査し、その中で許容できない疵が発見された際にはそのベルトのみを抜き出し、疵のない別途のベルトと交換してＣＶＴベルトを構成させるものである。したがって、許容できる疵であるか否かの判断は検査員の技量に左右されることが大きく、さらには、検査員の検査量が４００〜５００本／日程度に及ぶこともあってその検査手間は多大なものであった。
【０００４】
上記する従来の問題を解決し得る発明が特許文献１に開示されている。かかる発明は、回転テーブルに駆動伝達ベルトをセットし、高輝度光源を備えた照明装置からの照明が正反射する位置に設置された二次元カメラなどでベルト端面の疵を撮影する検査方法に関するものである。かかる撮影画像は、補正処理され、ベルト端面プロフィルと画像輝度との関係を利用した疵自動検出ロジックを用いて、端面の疵を検出することができる。
【特許文献１】特開２００４−１２５９６号公報
【発明の開示】
【発明が解決しようとする課題】
【０００５】
特許文献１の駆動伝達ベルトの検査方法によれば、検査員の技量に左右されることなく、高精度にベルト端面の疵の有無を検査することが可能となる。しかし、回転テーブルにセットされた複数層のベルトの端部は、それぞれが均一に積層されておらず、高輝度光源からそれぞれのベルト端部に入射する照明が隣接するベルトによって阻害されることで照明が入射しないベルトも生じる可能性が極めて高くなってしまう。さらには、反射される光も同様に、隣接するベルトによって反射が阻害されることによりカメラで撮影できない場合が生じてしまう。したがって、検査員による検査は解消できたとしても、結局、ベルトを一層々検査する手間は解消できず、検査に要する手間はやはり多大なものである。また、特許文献１の駆動伝達ベルトの検査方法では、ベルト端面に照射する光の角度（ベルト端面の法線からの角度がα）と反射する光を撮影する二次元カメラの角度（ベルト端面の法線からの角度がα）がともに同じ角度となるように二次元カメラが設けられている。しかし、入射角と同じ反射角の光をカメラで撮影したとしても、ベルト端面の疵のない部分から反射される光をカメラが取り込んでしまい、本来撮影したい疵（凹凸）による乱反射光を効果的に撮影することはできない。さらに、１基のカメラではその撮影精度にも限界があり、カメラの撮影角度と相俟って未撮影の疵が生じる可能性が高い。
【０００６】
本発明は、上記する問題に鑑みてなされたものであり、例えば、複数のベルト端面に照射する光や反射する光が隣接するベルトに干渉されないようにすることで、それぞれのベルト端面の検査を効率的かつ高精度に検査することのできるベルト端面の検査装置および検査方法を提供することを目的としている。また、照明装置からベルト端面へ入射する光の入射角度とベルト端面から反射する光の反射角度を勘案してカメラの配設位置や照明装置の台数を調整することで、疵部分を精度よく撮影することのできるベルト端面の検査装置および検査方法を提供することを目的としている。
【課題を解決するための手段】
【０００７】
前記目的を達成すべく、本発明による積層ベルト端面の検査装置は、２つの並行な軸心まわりを回転可能な２つのローラと、該２つのローラに掛け渡された積層ベルトまたは単層ベルトのそれぞれの端面に光を照射する照明装置と、ベルトの端面で反射する光を撮影するカメラと、から少なくとも構成されており、前記ローラのうち、該ローラがベルトに接する端面には、該端面の中央付近が端部に対して相対的に径方向外側へ突出するようなクラウニングが設けられていることを特徴とする。
【０００８】
２つのローラは、双方のローラが同一平面内で同期回転できるように構成されている。ここで、双方のローラの端面には、その中央付近が端部に対して相対的に径方向外側へ突出するようなクラウニングが設けられており、かかるクラウニングによって、ローラに掛け渡されたベルトをローラの回転に応じて該ローラ端面の中央付近に自然に移動させることができる。
【０００９】
例えば、検査対象となるベルトにもその両側にクラウニングが施されている場合（その断面視形状が三日月状に湾曲した形状の場合）には、ベルトのクラウニング形状とローラ端面のクラウニングが相俟って、該ベルトをローラ端面の中央付近に移動させ易くできる。特にかかるベルトが複数層に積層構成されている場合には、各ベルトがそれぞれローラ端面の中央付近に移動されることで、ベルトの端面に凹凸が生じ難くなり、ベルト端面への光の照射と反射する光の撮影に際しては、それぞれのベルトが隣接するベルトによって光の照射や反射が遮断される可能性が極めて低くなる。
【００１０】
本発明における照明装置としては高輝度のＬＥＤランプを使用でき、カメラとしてはＣＣＤカメラを使用できるが、かかる実施形態に限定されるものではない。
【００１１】
また、検査対象となるベルトは、金属製のベルトやゴムベルトなどがあり、それらが単層の場合や多層に積層された場合などがあるが、特に、積層ベルトの端面の検査において本発明の検査装置は好適である。
【００１２】
また、本発明による積層ベルト端面の検査装置の他の実施形態において、前記ローラは、駆動ローラと従動ローラとからなり、一方のローラが他方のローラから離反できるように、いずれか一方または双方のローラが可動式に構成されていることを特徴とする。
【００１３】
２つのローラの一方を駆動ローラ、他方を従動ローラとすることで、双方のローラの同期回転が可能となる。ここで、双方のローラは、その軸心間距離を適宜変更できるように、一方または双方のローラが可動式に構成されている。これは、２つのローラにベルトを掛け渡す際に、ベルトの掛け渡し作業が容易となる適度の離隔に２つのローラを配設できるようにしておくことと、ベルトが掛け渡された後は、ローラを回転させてベルトをローラ端面の適宜の位置に移動させるために（センタリング力をベルトに作用させるために）該ベルトにその長手方向に適宜の張力を与える必要があることから、２つのローラを離反できる構成とするものである。
【００１４】
例えば、台座上に回転可能に固定され軸心（モータの駆動軸）に駆動ローラを装着し、台座に対して移動可能な可動式台座を台座に取り付けるとともにかかる可動式台座に回転可能に固定された軸心に従動ローラを装着した形態などがある。
【００１５】
また、本発明によるベルト端面の検査装置の他の実施形態は、２つのローラの軸心が、並行の姿勢から所定角度ずれた捩れの姿勢を形成できるように、一方または双方の軸心が傾斜可能に構成されていることを特徴とする。
【００１６】
例えば、一方のローラ（従動ローラ）を他方のローラ（駆動ローラ）に対して傾斜させた姿勢で、双方のローラを同期回転させることにより、特に検査対象のベルトが積層ベルトの場合においては、従動ローラ側にあるそれぞれのベルトの端面が階段状に並べられることとなる。より具体的には、はじめに双方の軸心が並行な状態で２つのローラを回転させ、ローラのクラウニングを利用して複数のベルトをローラ端面の中央付近に集めた後で、従動ローラのみを一定角度傾斜させて双方のローラの回転を継続させる。このようなローラの作動により、複数のベルト端面は従動ローラの端部付近にて階段状に並べることにより、各ベルトの端面への光の入射や反射は、隣接するベルトの端面に阻害されることがなくなる。
【００１７】
既述する実施形態においては、回転可能な従動ローラが装着された可動式台座が適宜のアクチュエータ（シリンダユニットなど）によって傾斜できる構成とすることにより、水平面内に配設された駆動ローラに対して従動ローラを適宜の角度だけ傾斜させることができる。
【００１８】
また、本発明によるベルト端面の検査装置の他の実施形態において、ベルト端面への光の入射角とベルト端面からの光の反射角をともにθとした場合に、反射する光を撮影するカメラの位置はθから所定角度オフセットされた位置に配設されていることを特徴とする。
【００１９】
光の入射角と同じ反射角上にカメラを設置した場合、カメラに入射してくる光（反射光）は、ベルト端面の中でも疵部分ではない適正箇所で反射された光である可能性が極めて高くなる。疵部分は微視的には端面に生じる凹凸であることから、かかる凹凸による乱反射光を撮影するためには、該凹凸への光の入射角とは異なる反射角線上にカメラを設置するのが望ましい。例えば、ベルト端面の法線に対して４５度の角度上に高輝度ランプを設置して光を照射させた場合には、ＣＣＤカメラの撮影レンズの角度を、４５度の反射角線上から適宜の角度だけずらした位置にくるようにＣＣＤカメラを配設するものである。
【００２０】
また、本発明によるベルト端面の検査装置の他の実施形態において、前記ベルト端面の検査装置には、ベルト端面への光の入射角度が異なる複数の照明装置が設けられていることを特徴とする。
【００２１】
複数の照明装置からそれぞれ異なる入射角にて光をベルト端面へ照射させ、反射する光（それぞれ異なる反射角度を有する）をカメラにて撮影することにより、疵部分にて乱反射する複数の光を撮影することができ、したがって、疵の未撮影の防止と撮影精度の向上を図ることができる。ここで、複数の照明装置はそれぞれの配設位置が適宜調節できるように構成されている。また、カメラの配設位置は、それぞれの光の反射角（入射角と同じ角度の反射角）から一定角度だけオフセットされた位置となるように調節されている。
【００２２】
本発明の検査装置の一実施形態としては、ＬＥＤアンプに繋げられた複数のＬＥＤカメラと、駆動ローラおよび従動ローラを備えた台座（従動ローラは駆動ローラに離反可能に取り付けられている）と、１台のＣＣＤカメラと、ＣＣＤカメラからの撮影データを画像処理するコンピュータと、から少なくとも構成された形態がある。
【００２３】
また、本発明によるベルト端面の検査装置の他の実施形態において、前記ベルトは、複数の金属製のベルトが積層されてなるＣＶＴベルトであることを特徴とする。
【００２４】
ＣＶＴベルトは、一般に９層程度に金属ベルト（フープ）が積層されて構成されており、各ベルトの両側にはクラウニングが施されている。したがって、既述するように、金属ベルト側面のクラウニング形状とローラ端面のクラウニングが相俟って、該金属ベルトをローラ端面の中央付近に移動させ易くすることができるため、本発明の検査装置による検査対象としては特に望ましいものである。
【００２５】
また、本発明によるベルト端面の検査方法は、２つの並行な軸心まわりを回転する２つのローラと、該２つのローラに掛け渡され、複数の金属ベルトが積層されてなるＣＶＴベルトの端面に光を照射する照明装置と、ＣＶＴベルトの端面で反射する光を撮影するカメラと、から少なくとも構成されており、前記ローラのうち、該ローラがベルトに接する端面には、該端面の中央付近が端部に対して相対的に径方向外側へ突出するようなクラウニングが設けられているベルト端面の検査装置を使用してＣＶＴベルトの端面を検査するベルト端面の検査方法であって、前記ベルト端面の検査方法は、２つのローラにＣＶＴベルトを掛け渡し、２つのローラの一方または双方を動かして双方のローラを離反させ、ローラを回転させながらそれぞれのベルトをローラ端面の適宜の位置に調整配置させ、ＣＶＴベルトを構成する複数の金属ベルトそれぞれの端面に１つまたは２つ以上の照明装置から光を順次照射させ、反射する光をカメラで順次撮影し、さらに２つのローラを所定角度回転させて金属ベルト端面への光の照射と反射する光の撮影をおこなうことを繰返し、カメラにて撮影された画像に基づいてＣＶＴベルトの端面を検査することを特徴とする。
【００２６】
ＣＶＴベルトには、クラウニングが設けられるとともに、ベルト（フープ）の厚み方向にそれぞれのフープの中心線を揃えた姿勢で並べた際に、フープ端面が順次階段状となるようにそれぞれのフープの幅が調整されている。例えば、９層に積層されたベルト（フープ）は、その内側のフープの幅が最も大きく、外側の層のフープにいくにしたがってその幅が小さくなるように成形されている。２つのローラ端面間に積層構造のＣＶＴベルトを掛け渡して双方を離反させることでベルトに張力を作用させ、ローラを回転させることによって、ローラ端面のクラウニングに案内されるようにベルト（フープ）がローラの中央付近に移動される。かかる移動に伴い、それぞれのベルトの端面がほぼ階段状になった段階でローラの回転を休止させる。
【００２７】
ここで、１つまたは複数の照明装置（高輝度ＬＥＤランプ）からベルト端面に光を照射させ、反射する光を１台のＣＣＤカメラにて撮影する。なお、既述するように、ＣＣＤカメラの配設位置は、光の入射角と同じ反射角上にない位置（入射角と同じ反射角線から適宜の角度オフセットされた位置）に調整されている。
【００２８】
撮影された画像データは、ＣＣＤカメラから画像処理装置（コンピュータ）へ送られて画像処理がなされる。複数のＬＥＤランプを使用する場合には、各ランプからの光の照射を順次おこない、それぞれの反射光がＣＣＤカメラを介して画像処理装置へ送られる。
【００２９】
上記する一連の操作が終了したら、ローラを所定角度回転させて休止させ、次の検査部位に光を照射させて反射光を撮影するといった一連の操作を繰返す。かかる繰返し操作によってＣＶＴベルトの一端面の画像処理が終了したら、ＣＶＴベルトの他端面の撮影も同様におこなう。
【００３０】
画像処理された撮影画像を検査員が検証し、ベルト端面での疵の有無やその許容性の可否を判断して１つのＣＶＴベルト端面の検査が終了する。
【００３１】
さらに、本発明によるベルト端面の検査方法の他の実施形態は、２つのローラの軸心を、並行の姿勢から所定角度ずれた捩れの姿勢にして２つのローラを回転させることを特徴とする。
【００３２】
２つのローラの軸心を相互に捩れの姿勢にして双方のローラを回転させることにより、ＣＶＴベルトを構成する積層ベルトのそれぞれの端面を、容易に階段状に並べることが可能となる。
【発明の効果】
【００３３】
以上の説明から理解できるように、本発明のベルト端面の検査装置および検査方法によれば、ローラ端面に設けられたクラウニングにより、ローラの回転に伴って積層ベルトをローラの中央付近に移動させることができ、さらにそれぞれのベルトの端面の凹凸（偏差）が極端に大きくなることを効果的に防止することができ、したがって、ベルト端面への照明装置からの光の入射と該端面からの光の反射が隣接するベルトによって阻害されることを防止できる。したがって、積層ベルト端面の効率的かつ高精度な検査を実現することができる。また、本発明のベルト端面の検査装置および検査方法によれば、２つのローラを相互に捩れの姿勢にしながら回転させることにより、積層ベルトのそれぞれの端面をより効率的に検査し易い状態にすることができる。さらに、本発明のベルト端面の検査装置および検査方法によれば、反射光を撮影するカメラ（複数のカメラであることが望ましい）の配設位置を光の入射角とは相違する反射角線上の位置に調整することにより、ベルト端面の疵の未撮影を防止することができる。
【発明を実施するための最良の形態】
【００３４】
以下、図面を参照して本発明の実施の形態を説明する。図１は、本発明の検査装置の一実施形態を示した斜視図であり、図２は、図１のＩＩ−ＩＩ矢視図であり、図３は、図１のＩＩＩ−ＩＩＩ矢視図である。図４は、従来のローラを使用した場合の積層ベルト端部の状態を示した模式図である。図５は、本発明の検査装置におけるローラを回転させることにより、整列された積層ベルト端部の状態を示した模式図を、図６は、２つのローラの軸心を捩れの状態とした際の従動ローラとベルトの断面図を、図７は、図６のＶＩＩ部分を拡大した断面図をそれぞれ示している。なお、図示する実施形態においては、照明装置としてＬＥＤランプを、カメラとしてＣＣＤカメラを示しているが、本発明の検査装置はかかる実施形態に限定されるものではなく、さらには、ＬＥＤランプも３台に限定されるものでないことは勿論のことである。また、可動台座は、図示する手動にてスライドさせる実施形態以外にも自動スライドの実施形態であってもよい。さらに、検査対象としてＣＶＴベルトを図示しているが、本発明の検査装置はかかる無端金属ベルトのみを検査対象とするものではなく、単層または複数層のゴムベルトなども検査対象とするものである。
【００３５】
図１は、検査装置の一実施形態（検査装置１）を示している。９層に積層組付けされたフープｂは、順次移動する（矢印ｒ方向）搬送箱７３，７３，…にそれぞれ収容された姿勢で台座７１前方に送られてくる。台座７１上にはスライド（矢印ｐ、ｑ）と反転が可能な移載クランプ７４，７４が備えられており、フープｂを移載クランプ７４，７４にて把持した姿勢で搬送箱７３から取り出し、駆動ローラ２１と従動ローラ２２の端面にフープｂを取り付ける。駆動ローラ２１は後述するサーボモータによって回転可能となっており、従動ローラ２２は、双方のローラに掛け渡されたベルトを介して駆動ローラ２１に同期回転可能となっている。ここで、従動ローラ２２は可動台座７２に取り付けられている。可動台座７２にはレバー７２ｃが取り付けられており、このレバー７２ｃを押し引きすることにより、金具７２ｂを介して取り付けられたばね７２ａの付勢に抗して可動台座７２をスライドさせることができる（矢印ｓ）。フープｂを２つのローラに取り付ける際には、双方の離間を相対的に短くしておき、ＣＶＴベルトがローラ端部に装着された後で、可動台座７２をスライドさせることによって従動ローラ２２をスライドさせ、駆動ローラ２１と従動ローラ２２とを離反させてフープｂに一定の張力を作用させる。
【００３６】
フープｂを緊張させた後、制御盤４のスイッチをオンして駆動ローラ２１を回転させる。駆動ローラ２１と従動ローラ２２の双方の端部には後述するクラウニングが設けられているため、２つのローラの回転に伴ってフープｂを構成する複数のフープはローラ端面の中央付近に集められることとなる。
【００３７】
台座７１上には、３台の高輝度のＬＥＤランプ３ａ，３ｂ，３ｃが載置されており、それぞれのランプはＬＥＤアンプ３ａ１，３ｂ１，３ｃ１に繋げられている。ＬＥＤランプ ３ａ，３ｂ，３ｃはそれぞれ別途の入射角にてベルト端面の適宜箇所に順次光を照射し（ｘ１、ｘ２、ｘ３）、反射光（ｙ１、ｙ２、ｙ３）をＣＣＤカメラ５にて撮影することができる。３台のＬＥＤランプでの照射と反射光の撮影が終了したら、駆動ローラ２１を一定角度回転させ（矢印ｚ）、次のベルト端面部位を適宜の照明箇所にセットする。ＣＣＤカメラ５にて撮影されたデータはコンピュータ６に送られ、ＣＰＵにて画像処理された後に検査員によってベルト端面の疵の有無やその程度がコンピュータ画面上で検査される。
【００３８】
図２は、図１をトラック状に延びたベルトの長手方向から見た側面図であるが、駆動ローラ２１はその下方に配設されたサーボモータ２３の駆動軸に回転可能に装着されている。一方、従動ローラ２２は、その下方のエンコーダ２４の回転軸に装着されており、回転角度の検知（ベルト端面の検査部位の位置測定）がおこなわれる。また、従動ローラ２２とエンコーダ２４は既述する可動台座７２に固定されており、可動台座７２のスライド（矢印ｘ）に伴ってスライドできるように構成されている。
【００３９】
一方、図３は、図２と直交する側面図であるが、エンコーダ２４と従動ローラ２２を繋ぐ回転軸には、シリンダユニット２５から伸縮するピストンロッドが当接しており、ピストンロッドが矢印ｘ方向に伸張することによって従動ローラ２２の軸心が傾斜できるようになっている（鉛直方向の軸心が角度θで傾斜）。
【００４０】
次に、図４と図５を比較しながら、従動ローラ２２の端面のクラウニングの作用について説明する。図４は、従来の従動ローラａを示したものであるが、この従動ローラａの端面にはクラウニングは設けられておらず、従動ローラａの断面図における側面と端面とは直交するとともに該端面が直線状を成す。この場合、複数の金属ベルトからなるフープｂが従動ローラａの端面に巻きまわされた姿勢で該フープｂが回転しても、それぞれのベルト（フープ）の端面ｂ１，ｂ１，…の凹凸は修正されず、例えば、図４に示すように左から３番目のフープの端面ｂ１にＬＥＤランプ３から光を照射しても隣接するフープによって光の照射が阻害されてしまう。したがって、光を照射させるために逐一ＬＥＤカメラの位置を調整する必要が生じ、効率的かつ精度のよいベルト端面の検査をおこなうことはできない。
【００４１】
それに対し、図５は、本発明の従動ローラ２２の端面を示したものである。この従動ローラ２２の端面にはその径方向外側に湾曲するクラウニング２２ａが設けられており、フープｂを回転させた際には、このクラウニング２２ａの形状に沿ってベルトがローラ端面の中央に移動させられる。ところで、フープｂ自体の断面形状は、後述するように全体が湾曲した形状に成形されているため、従動ローラ２２端面のクラウニング２２ａ形状に沿ってその中央に移動され易く、さらに、それぞれのフープも断面中心が揃い易くなっているために図４に示す整列状態を形成し易い。なお、図示する従動ローラ２２に加えて、駆動ローラ２１の端面にもクラウニングは施されている。
【００４２】
フープｂを構成する複数のフープの端面を図５のように揃えた状態でローラの回転を休止させ、ＬＥＤランプ３から角度θ１にて光を照射させ、フープ端面に成形された疵で乱反射した反射光（入射角θ１とは異なる反射角θ２）をＣＣＤカメラ５にて撮影することにより、効率的で高精度な疵の撮影が可能となる。
【００４３】
図６は、従動ローラ２２の回転軸心を駆動ローラ２１の回転軸心と並行な状態から所定の捩れ角度θに傾斜させた模式図である。まず、駆動ローラ２１と従動ローラ２２の双方の軸心を並行な状態で双方を回転させることで、ＣＶＴベルトを構成する各フープｂ、ｂ、ｂ、…をローラ端面の中央付近に集めた後に、従動ローラ２２の軸心を所定の角度θ傾斜させて双方のローラをさらに回転させる。従動ローラ２２が回転することによって各フープｂ、ｂ、…は図６およびその拡大図である図７に示すように階段状にずらされた姿勢となる。これは、一方のローラの回転軸心を他方のローラの回転軸心に対して捻った姿勢でローラを回転させたことと、ローラ端面のクラウニング形状によってもたらされる効果である。図７からも明らかなように、一方のローラの回転軸心を捻ることでそれぞれのフープの端面を階段状とすることができ、隣接するフープの端面の凹凸によって光の照射や反射を阻害されることがなくなる。
【００４４】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【図面の簡単な説明】
【００４５】
【図１】本発明の検査装置の一実施形態を示した斜視図。
【図２】図１のＩＩ−ＩＩ矢視図。
【図３】図１のＩＩＩ−ＩＩＩ矢視図。
【図４】従来のローラを使用した場合の積層ベルト端部の状態を示した模式図。
【図５】本発明の検査装置におけるローラを回転させることにより、整列された積層ベルト端部の状態を示した模式図。
【図６】２つのローラの軸心を捩れの状態とした際の従動ローラとベルトの断面図。
【図７】図５のＶＩＩ部分を拡大した断面図。
【図８】ＣＶＴベルトの一部を示した模式図。
【符号の説明】
【００４６】
１…検査装置、２１…駆動ローラ、２２…従動ローラ、２２ａ…クラウニング、２３…サーボモータ、２４…ロータリエンコーダ、２５…シリンダユニット、３ａ，３ｂ，３ｃ…ＬＥＤランプ（照明装置）、３ａ１，３ｂ１，３ｃ１…ＬＥＤ発光用アンプ、４…制御盤、５…ＣＣＤカメラ、６…コンピュータ、７１…台座、７２…可動台座、７３…搬送箱、７４…移載クランプ、ｂ…フープ、ｂ１…端面
【図１】
2006258576.tif 000003
【図２】
2006258576.tif 000004
【図３】
2006258576.tif 000005
【図４】
2006258576.tif 000006
【図５】
2006258576.tif 000007
【図６】
2006258576.tif 000008
【図７】
2006258576.tif 000009
【図８】
2006258576.tif 000010